(57)【要約】【課題】釣合い錘後落ちレイアウトの展望用エレベータにおいて、正面壁幅を確保した上で、かご室正面壁に設置された展望窓から外の景観を確保する。【解決手段】乗場扉が設けられる面と反対側の面にガラス張りの展望面を有する昇降路（８）内で、展望面と対向する面に展望窓（７）を有したかごと展望面との間の空間を釣合い錘（２）が昇降する釣合い錘後落ちレイアウトを採用する際に適用される展望用エレベータの釣合い錘装置であって、上枠、下枠、第１の縦枠および第２の縦枠で四角形状に形成された釣合い錘枠（１ｂ）と、第１の縦枠側に取り付けられた第１の錘（２ａ）と、第１の錘とは展望窓の幅に相当する空間を有して、第２の縦枠側に取り付けられた第２の錘（２ｂ）とを備え、釣合い錘を第１の錘と第２の錘とに分割配置する構成を有する。【選択図】図１
2015020828.tif 000002
【特許請求の範囲】
【請求項１】
乗場扉が設けられる面と反対側の面にガラス張りの展望面を有する昇降路内で、前記展望面と対向する面に展望窓を有したかごと前記展望面との間の空間を釣合い錘が昇降する釣合い錘後落ちレイアウトを採用する際に適用される展望用エレベータの釣合い錘装置であって、
上枠、下枠、第１の縦枠および第２の縦枠で四角形状に形成された釣合い錘枠と、
前記第１の縦枠側に取り付けられた第１の錘と、
前記第１の錘とは前記展望窓の幅に相当する空間を有して、前記第２の縦枠側に取り付けられた第２の錘と
を備え、前記釣合い錘を前記第１の錘と前記第２の錘とに分割配置する構成を有する展望用エレベータの釣合い錘装置。
【請求項２】
請求項１に記載の展望用エレベータの釣合い錘装置において、
前記上枠の前記第１の縦枠側に取り付けられた第１の吊り車と、
前記第１の吊り車とは前記展望窓の幅に相当する空間を有して、前記上枠の前記第２の縦枠側に取り付けられた第２の吊り車と、
前記第１の吊り車および前記第２の吊り車に跨って巻き掛けられる巻上げロープと
を備える展望用エレベータの釣合い錘装置。
【請求項３】
請求項１に記載の展望用エレベータの釣合い錘装置において、
前記上枠の前記第１の縦枠側に取り付けられ、第１の巻上げロープが接続される第１のロープシャックルと、
前記第１のロープシャックルとは前記展望窓の幅に相当する空間を有して、前記上枠の前記第２の縦枠側に取り付けられ、第２の巻上げロープが接続される第２のロープシャックルと
を備える展望用エレベータの釣合い錘装置。
【請求項４】
請求項２または３に記載の展望用エレベータの釣合い錘装置において、
前記下枠の前記第１の縦枠側に取り付けられた第１の釣合いロープと、
前記第１の釣合いロープとは前記展望窓の幅に相当する空間を有して、前記下枠の前記第２の縦枠側に取り付けられた第２の釣合いロープと
を備える展望用エレベータの釣合い錘装置。
【発明の詳細な説明】
【技術分野】
【０００１】
本発明は、ガラス張り展望面を有する昇降路内で、展望窓を有した展望用エレベータの錘後落ちレイアウトに対して、かご内から外の景観を確保することのできる展望用エレベータの釣合い錘装置に関する。
【背景技術】
【０００２】
従来における展望用エレベータは、主に正面壁（かご扉が設けられる面と反対側の壁に相当）に展望窓を有することから、釣合い錘は、横落ちレイアウトとしていることが多い。しかしながら、釣合い錘がかごの横側に配置されてしまう弊害として、同一の昇降路サイズに対して正面壁幅（間口寸法）が小さくなってしまうといった問題点がある。このため、釣合い錘後落ちレイアウトが必要となっている。
【０００３】
しかしながら、釣合い錘後落ちレイアウトにすると、釣合い錘および釣合い錘周辺機器が、正面壁の展望窓から見え、視界を遮ってしまうといった問題点がある。このことから、釣合い錘が見えないように、釣合い錘を昇降させるための昇降路を地下に配置した構造が提案されている（例えば、特許文献１参照）。
【先行技術文献】
【特許文献】
【０００４】
【特許文献１】実開昭５９−４６９６５号公報
【発明の概要】
【発明が解決しようとする課題】
【０００５】
しかしながら、従来技術には、以下のような課題がある。
特許文献１においては、釣合い錘の昇降路を地下に設置することが必要である。このため、建築工事側に与える影響が非常に大きく、釣合い錘側のピット周辺機器へのアクセスが困難であるといった課題がある。
【０００６】
本発明は、このような課題を解決するためになされたものであり、釣合い錘後落ちレイアウトの展望用エレベータにおいて、正面壁幅を確保した上で、かご室正面壁に設置された展望窓から外の景観を確保することのできる展望用エレベータの釣合い錘装置を得ることを目的とする。
【課題を解決するための手段】
【０００７】
本発明に係る展望用エレベータの釣合い錘装置は、乗場扉が設けられる面と反対側の面にガラス張りの展望面を有する昇降路内で、展望面と対向する面に展望窓を有したかごと展望面との間の空間を釣合い錘が昇降する釣合い錘後落ちレイアウトを採用する際に適用される展望用エレベータの釣合い錘装置であって、上枠、下枠、第１の縦枠および第２の縦枠で四角形状に形成された釣合い錘枠と、第１の縦枠側に取り付けられた第１の錘と、第１の錘とは展望窓の幅に相当する空間を有して、第２の縦枠側に取り付けられた第２の錘とを備え、釣合い錘を第１の錘と第２の錘とに分散配置する構成を有するものである。
【発明の効果】
【０００８】
本発明によれば、釣合い錘を第１の錘と第２の錘に分割して展望窓の左右に分散配置し、かごの昇降時に釣合い錘装置とすれ違うときにも、第１の錘と第２の錘との間の空間から外の景観を確保することにより、釣合い錘後落ちレイアウトの展望用エレベータにおいて、正面壁幅を確保した上で、かご室正面壁に設置された展望窓から外の景観を確保することのできる展望用エレベータの釣合い錘装置を得ることができる。
【図面の簡単な説明】
【０００９】
【図１】本発明の実施の形態１に係る展望用エレベータ釣合い錘装置の構造を示した図である。
【図２】本発明の実施の形態１に係る展望用エレベータの釣合い錘装置の設置例を示す断面図である。
【図３】本発明の実施の形態２に係る展望用エレベータの釣合い錘装置の構造を示す図である。
【図４】本発明の実施の形態２に係る展望用エレベータの釣合い錘装置において、乗場から見たときの正面図である。
【図５】従来のエレベータ釣合い錘装置の構造を示す図である。
【図６】従来のエレベータ釣合い錘装置の設置例を示した断面図である。
【発明を実施するための形態】
【００１０】
以下、本発明の展望用エレベータの釣合い錘装置の好適な実施の形態につき図面を用いて説明する。
【００１１】
実施の形態１．
まず始めに、本願発明との違いをより明確とするために、錘後落ちレイアウトにおける従来のエレベータ釣合い錘装置について、図面を用いて説明する。図５は、従来のエレベータ釣合い錘装置の構造を示す図である。図５に示す従来のエレベータ釣合い錘装置は、釣合い錘枠１ａ、釣合い錘２、巻上ロープ３、吊り車４、および釣合いロープ５を含んで構成されている。
【００１２】
図６は、従来のエレベータ釣合い錘装置の設置例を示した断面図である。図６に示すように、釣合い錘装置６がかご内の展望窓７と、ガラス張りの展望面を有する昇降路８との間を遮っていることが分かる。すなわち、従来の釣合い錘後落ちレイアウトにおいては、横落ちレイアウトの場合と比較して、同一の昇降路サイズに対して正面壁幅（間口寸法）を、より広く確保することができるが、その一方で、釣合い錘２および釣合い錘周辺機器が、正面壁の展望窓７から見えてしまい、視界を遮ってしまうこととなっていた。
【００１３】
そこで、次に、かご室正面壁に設置された展望窓７から外の景観を確保することのできる本発明に係る展望用エレベータの釣合い錘装置について、図面を用いて説明する。図１は、本発明の実施の形態１に係る展望用エレベータ釣合い錘装置の構造を示した図である。図１に示す本実施の形態１の展望用エレベータの釣合い錘装置は、釣合い錘枠１ｂ、釣合い錘２、巻上ロープ３、第１の吊り車４ａ、第２の吊り車４ｂ、および釣合いロープ５を含んで構成されており、基本的には、従来技術を示した先の図５と同様の構成要素を備えている。
【００１４】
ここで、釣合い錘２は、第１の錘２ａと第２の錘２ｂに２分割されている。また、釣合い錘枠１ｂは、上枠１１、下枠１２、第１の縦枠１３、第２の縦枠１４を含んで構成されている。そして、本実施の形態１における展望用エレベータの釣合い錘装置は、釣合い錘２を２分割配置することで形成される空間を、釣合い錘枠１ｂの中央部に有している点を技術的特徴としている。
【００１５】
図２は、本発明の実施の形態１に係る展望用エレベータの釣合い錘装置の設置例を示す断面図である。釣合い錘装置６の中央部の空間を利用することで、かご内の展望窓７およびガラス張りの展望面を有する昇降路８を通した外観の視界を遮らないようにしている。すなわち、かごの昇降時に釣合い錘装置とすれ違うときにも、第１の吊り車４ａ、第２の吊り車４ｂ、および巻上ロープ３が視界を遮ることなく、第１の錘２ａと第２の錘２ｂとの間の空間から、外の景観を確保することができる。
【００１６】
また、図１に示したように、釣合いロープ５は、第１の釣合いロープ５ａと第２の釣合いロープ５ｂに分けられ、それぞれが第１の錘２ａと第２の錘２ｂの下方で下枠１２に取り付けられているため、かごの昇降時に釣合い錘装置とすれ違うときにも、釣合いロープ５が視界を遮ることなく、第１の釣合いロープ５ａと第２の釣合いロープ５ｂとの間の空間から、外の景観を確保することができる。
【００１７】
以上のように、実施の形態１によれば、釣合い錘２を第１の錘２ａと第２の錘２ｂに分割して展望窓７の左右に分散配置できる構成を備えている。この結果、釣合い錘後落ちレイアウトを採用した際に、正面壁幅を確保した上で、かご室正面壁に設置された展望窓７から外の景観を確保することのできる展望用エレベータの釣合い錘装置を実現できる。
【００１８】
実施の形態２．
先の実施の形態１では、第１の吊り車４ａ、第２の吊り車４ｂを用いた展望用エレベータの釣合い錘装置について説明した。これに対して、本実施の形態２では、第１の吊り車４ａ、第２の吊り車４ｂを用いない構成により、正面壁幅を確保した上で、かご室正面壁に設置された展望窓７から外の景観を確保することのできる展望用エレベータの釣合い錘装置を実現する場合について説明する。
【００１９】
図３は、本発明の実施の形態２に係る展望用エレベータの釣合い錘装置の構造を示す図である。吊り車４を介さない１：１ローピングの展望用エレベータ釣合い錘では、この図３に示すように、第１の吊り車４ａおよび第２の吊り車４ｂの代わりに、第１のロープシャックル９ａおよび第２のロープシャックル９ｂを適用する。このような構成を採用する図３の場合にも、先の図１と同様に、釣合い錘２を２分割配置することで形成される空間を、釣合い錘枠１ｂの中央部に有していることを、共通の技術的特徴としている。
【００２０】
この結果、先の実施の形態１と同様に、かご内の展望窓７およびガラス張りの展望面を有する昇降路８を通した外観の視界を遮らないようにすることができる。すなわち、かごの昇降時に釣合い錘装置とすれ違うときにも、第１のロープシャックル９ａと接続された第１の巻上ロープ３ａおよび第２のロープシャックル９ｂと接続された第２の巻上ロープ３ｂが視界を遮ることなく、第１の錘２ａと第２の錘２ｂとの間の空間から、外の景観を確保することができる。
【００２１】
図４は、本発明の実施の形態２に係る展望用エレベータの釣合い錘装置において、乗場１０から見たときの正面図である。乗場１０からは、上枠１１、下枠１２以外は全て見えなくなり、ガラス張りの展望面を有する昇降路８を、２分割された釣合い錘２（第１の錘２ａ、第２の錘２ｂに相当）によって遮ることなく、かごがいない乗場１０からの外の景観を確保することができる。なお、このような、乗場１０からの景観確保は、先の実施の形態１においても、同様の効果が得られる。
【００２２】
以上のように、実施の形態２によれば、吊り車の代わりにロープシャックルを用いる場合にも、釣合い錘を第１の錘２ａと第２の錘２ｂに分割して展望窓７の左右に分散配置できる構成を採用することができる。この結果、釣合い錘後落ちレイアウトを採用することで、正面壁幅を確保した上で、かご室正面壁に設置された展望窓から外の景観を確保することのできる展望用エレベータの釣合い錘装置を実現できる。
【符号の説明】
【００２３】
１ａ  従来の釣合い錘枠、１ｂ  本発明の釣合い錘枠、２  釣合い錘、２ａ  第１の錘、２ｂ  第２の錘、３  巻上ロープ、３ａ  第１の巻上ロープ、３ｂ  第２の巻上ロープ、４  吊り車、４ａ  第１の吊り車、４ｂ  第２の吊り車、５  釣合いロープ、５ａ  第１の釣合いロープ、５ｂ  第２の釣合いロープ、６  釣合い錘装置、７  展望窓、８  ガラス張りの展望面を有する昇降路、９ａ  第１のロープシャックル、９ｂ  第２のロープシャックル、１０  エレベータ乗場、１１  釣合い錘上枠、１２  釣合い錘下枠、１３  第１の縦枠、１４  第２の縦枠。
【図１】
2015020828.tif 000003
【図２】
2015020828.tif 000004
【図３】
2015020828.tif 000005
【図４】
2015020828.tif 000006
【図５】
2015020828.tif 000007
【図６】
2015020828.tif 000008